(57)【要約】【課題】設定カードを紙葉類処理装置内に流すだけで、内部設定を容易に変更し得る紙葉類の内部設定方法を提供する。【解決手段】設定情報の少なくとも１つを抽出するための抽出情報を記録した設定カードを投入し、検知部にて、抽出情報を検知し、検知結果に基づいて記憶部内の設定情報を抽出して紙葉類処理装置の内部設定を行う。【選択図】図２
2007122453.tif 000002
【特許請求の範囲】
【請求項１】
作業単位毎に集積して投入された紙葉類を搬送しながら、再利用可能な紙葉類と、前記再利用可能な紙葉類以外の紙葉類とを判別して区分し、集積または排除する紙葉類処理装置の内部設定方法であって、
前記紙葉類処理装置は、投入された紙葉類の取出動作を制御するための取出制御部、前記紙葉類の搬送を制御するための搬送制御部、前記紙葉類の特徴量を検知部で検知し、判別するための判定部、及び前記判定部における判別結果に基づいて前記紙葉類の搬送方向を切り替えるためのゲートを制御するゲート制御部の設定を行うための設定情報を記憶する記憶部を有し、前記紙葉類処理装置に投入された前記設定情報の少なくとも１つを抽出するための抽出情報を記録した設定カード、前記検知部にて、前記抽出情報を検知し、検知結果に基づいて前記記憶部内の前記設定情報を抽出して前記紙葉類処理装置の内部設定を行うよう制御する制御部を備えることを特徴とする紙葉類処理装置の内部設定方法。
【請求項２】
前記設定カードの取出しを検知するカード検知器と、前記設定カードの排除を検知する排除検知部とを備え、前記カード検知器にて前記設定カードの投入を検知したことを受けて、前記紙葉類処理装置を内部設定変更モードに切り換え、また、前記紙葉類の排除を検知する排除検知部にて前記設定カードの排除を検知したことを受けて、前記紙葉類処理装置を通常の紙葉類処理モードに切り換えることを特徴とする請求項１に記載の方法。
【請求項３】
前記設定カードは、前記カード検知器で検知される絵柄パターン、及び前記設定情報を記録したバーコードを有することを特徴とする請求項１または２に記載の方法。
【請求項４】
前記設定カードは、前記カード検知器で検知される絵柄パターン、前記設定情報を記録したバーコード、及び前記設定情報による判定の基準となる反射検知基準色、磁気センサ基準パターン、及びピント合わせパターンを有することを特徴とする請求項１または２に記載の方法。
【発明の詳細な説明】
【技術分野】
【０００１】
本発明は、紙幣などの紙葉類の種類、正損、及び真偽の判定を行って、この判定結果に基づいて紙葉類の区分処理を行う紙葉類処理装置の内部設定方法に関する。
【背景技術】
【０００２】
従来の紙幣計数処理機では、国や客先仕様に合わせて機構などのハード、鑑査等の判定プログラム、調整値などの変更を実施し、機種を分けている。また、紙幣計数処理機の機能性能／品質上にかかわる設定値や調整値レベルは生産時に行なわれ、客先据付後は、客先の運用にあわせて、保守員がパソコンなどの操作機器上を保守画面に切り替えて、印字仕様やテラー画面、機器の各種制御パラメータなどの設定を行っていた。これらの調整や設定は、基板ボリュームによるある基準に対するセンサ出力調整や、スイッチのｏｎ／ｏｆｆによる機能の分割設定、パソコンなどの操作画面からの運用上の設定、判定プログラム変更による仕様／機能の変更など多種多様である。また、性能機能などセキュリティに関わる変更は、ハードスイッチへの操作禁止やパソコン上でのパスワードで対応していた。
【０００３】
紙幣処理機の製造時や据付時に調整や設定に対する工数が多くなり、調整及び設定方法も多岐にわたり運用管理も複雑になっていた。
【０００４】
特に、紙幣検知部でのセンサレベル調整など専門的知識を有する調整は保守員が行い、保守経費がかかっていた。また、それらの調整には出力を測定する機器を使用したり、ユニットの分解作業が必要となるなど手間が非常にかかっていた。
【０００５】
また、紙幣処理機の対象国のそれぞれの対応には、鑑査等の判定プログラムの入れ替え作業が必要となり、客先による対象紙幣を選ぶことができなかった。
【０００６】
さらに、紙幣処理機の内部設定へのアクセスは、操作画面のパスワードで可能となる為、パスワードさえわかれば、誰でもアクセス可能であった。
【０００７】
機能の限定をするなどのスイッチ設定は、特に、セキュリティ管理がなく、設定ミスや故意による紙幣検出機能への操作が可能であった。
【発明の開示】
【発明が解決しようとする課題】
【０００８】
本発明は、上記従来技術の課題を解決するために成されたもので、設定カードを紙葉類処理装置内に流すだけで、内部設定を容易に変更し得る紙葉類の内部設定方法を提供することを目的とする。
【課題を解決するための手段】
【０００９】
本発明の紙葉類処理装置の内部設定方法は、作業単位毎に集積して投入された紙葉類を搬送しながら、再利用可能な紙葉類と、前記再利用可能な紙葉類以外の紙葉類とを判別して区分し、集積または排除する紙葉類処理装置の内部設定方法であって、
前記紙葉類処理装置は、投入された紙葉類の取出動作を制御するための取出制御部、前記紙葉類の搬送を制御するための搬送制御部、前記紙葉類の特徴量を検知部で検知し、判別するための判定部、及び前記判定部における判別結果に基づいて前記紙葉類の搬送方向を切り替えるためのゲートを制御するゲート制御部の設定を行うための設定情報を記憶する記憶部を有し、前記紙葉類処理装置に投入された前記設定情報の少なくとも１つを抽出するための抽出情報を記録した設定カード、前記検知部にて、前記抽出情報を検知し、検知結果に基づいて前記記憶部内の前記設定情報を抽出して前記紙葉類処理装置の内部設定を行うよう制御する制御部を備えることを特徴とする。
【発明の効果】
【００１０】
本発明を用いると、設定カードを紙葉類処理装置内に流すだけで、内部設定を容易に変更し得る。
【発明を実施するための最良の形態】
【００１１】
以下、この発明の実施の形態について図面を参照して説明する。  
図１は、本発明の内部設定方法を適用し得る紙葉類処理装置の一例として、紙幣処理装置１の構成を概略的に表す図を示す。
【００１２】
この紙幣処理装置は、紙幣処理装置本体１と紙幣処理装置本体１を操作するための制御装置２とから構成されている。上記制御装置２が制御する紙幣処理装置本体１は、１台であっても、複数台であっても良い。
【００１３】
紙幣処理装置本体１は、紙幣を種類あるいは状態に応じて区分し、区分した紙幣を種類あるいは状態ごとに集積する区分集積装置１Ａと所定数毎に紙幣を施封する施封装置１Ｂとを有している。上記紙幣処理装置本体１は、１つの区分集積装置１Ａに対して任意の数の施封装置１Ｂが接続可能な構成となっている。
【００１４】
上記区分集積装置１Ａは、複数の種類からなる複数の紙幣が一括して投入される。上記区分集積装置１Ａは、投入された各紙幣の種類及び状態に応じて分類する。上記区分集積装置１Ａは、分類した紙幣を各集積庫（カセット）あるいは施封装置１Ｂへ搬送する。上記施封装置１Ｂは、上記区分集積装置１Ａから供給される紙幣を集積庫（カセット）に集積し、所定数毎に紙帯で施封する。
【００１５】
上記制御装置２は、上記紙幣処理装置本体１の制御、上記紙幣処理装置本体１に対する動作設定、あるいは上記紙幣処理装置本体１による処理データの管理などを行う。上記制御装置２は、たとえば、パーソナルコンピュータにより構成される。上記制御装置２は、後述する表示部、操作部および記憶部などを有している。
【００１６】
紙幣処理装置１は、その機能を果たす為に様々な可動部の制御機能や紙幣判別の検知機能を有している。
【００１７】
次に、上記紙幣処理装置本体１の内部の構成について説明する。
【００１８】
図１に示すように、紙幣処理装置本体１は、区分集積装置１Ａおよび施封装置１Ｂにより構成されている。
【００１９】
上記区分集積装置１Ａには、複数の紙幣Ｐを投入する投入部４が設けられている。上記投入部４には、複数の種類が混在する複数の紙幣が一括して投入される。上記投入部４に投入される紙幣Ｐは、それぞれ長手方向と幅方向とを有する。上記投入部４には、紙幣の長手方向の上端或いは下端が下を向く姿勢で投入される。
【００２０】
上記投入部４は、ステージ５、バックアッププレート６、および、取出しローラ１０を有している。上記ステージ５には、複数の紙幣Ｐがその上端或いは下端に当接して整位された状態で投入される。上記バックアッププレート６は、上記ステージ５に対して鉛直方向に立設されている。上記バックアッププレート６は、ばね８によりステージ５に沿って取出しローラ１０側（図中左方向）に移動するようになっている。上記取出しローラ１０は、１対のローラにより構成される。上記取出しローラ１０は、所定方向に回転することによりステージ５上の図中左端にある紙幣Ｐを順に取り出す。したがって、上記投入部４に投入された複数の紙幣Ｐは、バックアッププレート６によってステージ５に沿って移動され、取出しローラ１０（取出し部）に押し付けられる。
【００２１】
上記取出しローラ１０の後段には、搬送路１２が設けられている。上記搬送路１２は、複数のローラ１５と搬送ベルト１４、１６により構成されている。上記搬送路１２では、複数のローラ１５により駆動する搬送ベルト１４、１６により紙幣Ｐが搬送される。上記搬送路１２には、上記取出しローラ１０により取り出された紙幣Ｐが順に供給される。たとえば、上記取出しローラ１０は、紙幣Ｐをその上端或いは下端を先頭にして短手方向に搬送路１２に供給する。また、上記取出しローラ１０により搬送路１２上に供給される紙幣Ｐは、表裏がばらばらの状態となっている。図１に示す構成例では、上記投入部４から取出される紙幣Ｐの取出し方向は下向きとなっている。
【００２２】
上記取出しローラ１０の後段に延設された搬送路１２上には、カード検知器９０が設けられている。上記カード検知器９０は、例えばカラーセンサからなり、設定カードが取り出された場合に、絵柄パターンから設定カードを検知する。設定カードの検知結果に基づいて、後述の制御部において、装置内の各制御部及び判定部等を必要に応じて通常の紙葉類処理モードから、設定変更モードへ切り替えることができる。
【００２３】
上記カード検知器９０の後段には、検知部３０が設けられている。上記検知部３０は、紙幣Ｐの券種、表裏、天地、汚れや破損の有無等の特徴を検知する。上記検知部３０は、種々のセンサにより構成される。上記検知部３０に設けられる種々のセンサは、搬送路１２を搬送される紙幣Ｐから種々の情報を読み取る。上記検知部３０には、たとえば、紙幣Ｐの表面の画像を読み取るイメージセンサ、紙幣Ｐの厚さを検知するセンサ、紙幣Ｐに含まれる磁性体を検知するセンサなどが設けられる。上記検知部３０の各センサにより読み取った情報に基づいて、後述する判定部は、上述したような紙幣Ｐの特徴を判定する。
【００２４】
また、検知部３０の後段には、バーコードリーダ９８が設けられ、カードに設けられたバーコードに記録された情報を読み取ることができる。
【００２５】
図１に示す区分集積装置１Ａでは、表裏および天地がばらばらの状態の複数の紙幣Ｐが上記投入部４に投入される。このため、上記検知部３０を通過する各紙幣Ｐも、表裏および天地がばらばらな状態となっている。ここで、上記検知部３０を通過する紙幣Ｐの表裏および天地に関する向きは４種類ある。以下の説明では、表面が上方を向いて搬送方向前方に対して上端を向けて取出された紙幣Ｐを表上（ＦＦ）券と称し、表面が上方を向いて搬送方向前方に対して下端を向けて取出された紙幣Ｐを表下（ＦＲ）券と称し、裏面が上方を向いて搬送方向前方に対して上端を向けて取出された紙幣Ｐを裏上（ＢＦ）券と称し、裏面が上方を向いて搬送方向前方に対して下端を向けて取出された紙幣Ｐを裏下（ＢＲ）券と称する。つまり、検知部３０を通過して搬送される紙幣Ｐは、これら４種類の搬送姿勢のうちいずれかの姿勢で搬送されることになる。
【００２６】
上記検知部３０の後段に延設された搬送路１２上には、検知部３０における検知結果に基づいて紙幣Ｐの搬送方向を選択的に切換えるための複数のゲートＧ１〜Ｇ９が設けられている。
【００２７】
まず、ゲートＧ１は、紙幣Ｐを後段の処理が可能なものとリジェクトするものとに振り分ける。たとえば、上記検知部３０において、後段の処理が不可能であることが判定された紙葉類は、ゲートＧ１を介してリジェクト箱３２へ搬送され、排除される。後段の処理が不可能な紙葉類としては、例えば上記設定カード、２枚取りが判定された紙幣、所定のレベルを超えて大きくスキューしたことが判定された紙幣、或いは再流通可能な正券と判定されなかった損券や、偽券などがある。上記リジェクト箱３２には、紙葉類がリジェクトされたことを検知する排除検知器９７が設けられている。リジェクト箱３２は、紙葉類処理装置１の外部からアクセスが可能となっているので、リジェクト箱３２に集積された紙幣Ｐは、係員が取り出すことができるようになっている。
【００２８】
一方、検知部３０において後段の処理が可能であると判定された紙幣Ｐは、ゲートＧ１を介してゲートＧ２へ搬送される。ゲートＧ２は、表裏に応じて紙幣Ｐを振り分けるようになっている。ゲートＧ２の下流側の搬送路は、２方向に分岐されている。すなわち、ゲートＧ２は、表裏の状態に応じて紙幣Ｐの搬送方向を２方向に選択的に切換える。
【００２９】
ゲートＧ２の下流側で分岐された一方の搬送路上には、紙幣Ｐの表裏を反転させるための表裏反転機構３４（表裏反転部）が設けられている。また、ゲートＧ２の下流側で分岐された他方の搬送路３６は、紙幣Ｐの表裏を変化させずに、単に紙幣Ｐを通過させる搬送パスとなっている。すなわち、ゲートＧ２の後段では、紙幣Ｐの表裏を取り揃えられるようになっている。
【００３０】
上記表裏反転機構３４は、２組の搬送ベルト３３、３５により構成される。上記搬送ベルト３３および３５は、その入口から出口に向けて中心軸の回りで１８０°回転されたねじり搬送路を形成している。したがって、上記ゲートＧ２により表裏反転機構３４へ振り分けられた紙幣Ｐは、表裏反転される。たとえば、ＦＦ券は、上記表裏反転機構３４により表裏反転され、裏面を上にしたＢＦ券に反転される。
【００３１】
上記表裏反転機構３４を通過して表裏反転された紙幣Ｐ、および、上記表裏反転機構３４を通過せずに搬送路（搬送パス）３６を通過した紙幣Ｐは、いずれも合流部３８を介してゲートＧ３に送り込まれる。
【００３２】
ゲートＧ２から表裏反転機構３４を介して合流部３８に至る紙幣Ｐの処理時間（搬送時間）とゲートＧ２から搬送路３６を介して合流部３８に至る紙幣Ｐの搬送時間とが同じになるように設定されている。これにより、表裏反転機構３４を介して搬送された紙幣Ｐと搬送路３６を通過された紙幣Ｐとが同じタイミングで合流部３８を通過する。
【００３３】
ゲートＧ３は、合流部３８を通過した紙幣Ｐを振り分けるようになっている。ゲートＧ３の下流側の搬送路は、２方向に分岐されている。ゲートＧ３は、紙幣Ｐの種類（あるいは状態）に応じて紙幣Ｐの搬送方向を２方向に選択的に切換える。
【００３４】
ゲートＧ３の下流側で分岐された一方の搬送路は、紙幣Ｐを施封装置１Ｂへ搬送するための搬送路である。また、ゲートＧ３の下流側で分岐された他方の搬送路（水平搬送路）４０は、紙幣Ｐを区分集積装置１Ａ内の各集積庫４１〜４６に集積するための搬送路である。また、各集積庫４１〜４６には、それぞれ図示しない紙幣の有無を検知するセンサが設けられている。
【００３５】
すなわち、ゲートＧ３により分岐された水平搬送路４０は、複数の集積庫４１〜４６の上方で略水平方向に延びた搬送路を形成している。水平搬送路４０上には、紙幣Ｐを６つの集積庫４１〜４６のうちのいずれか１つに振り分けて集積するための５つのゲートＧ５〜Ｇ９が設けられている。
【００３６】
水平搬送路４０の最も上流側にあるゲートＧ５によって選択的に振り分けられた紙幣Ｐは集積庫４１に集積される。ゲートＧ６によって選択的に振り分けられた紙幣Ｐは集積庫４２に集積される。ゲートＧ７によって選択的に振り分けられた紙幣Ｐは集積庫４３に集積される。ゲートＧ８によって選択的に振り分けられた紙幣Ｐは集積庫４４に集積される。ゲートＧ９によって選択的に振り分けられた紙幣Ｐは集積庫４５或いは集積庫４６に集積される。
【００３７】
上記施封装置１Ｂは、図１に示すように、集積庫５１、集積庫５２、供給部５３、施封機構５４、印刷機構５５、帯供給部５６を有している。上記集積庫５１、５２は、それぞれゲートＧ４を介して送り込まれた紙幣Ｐを集積する。各集積庫５１、５２には、それぞれ紙幣の有無を検知するセンサが設けられている。
【００３８】
上記供給部５３は、集積庫５１あるいは５２に集積された所定枚数（たとえば１００枚）の紙幣Ｐを施封機構５４に供給する。上記施封機構５４は、供給部５３によって供給される集積庫５１あるいは５２に集積された所定枚数（たとえば１００枚）の紙幣Ｐを紙帯で施封する施封機構である。上記印刷機構５５は、上記施封機構５４で使用する紙帯に所望の印刷データを印刷する。上記帯供給部５６は、上記施封機構５４で使用する紙帯を供給する。
【００３９】
上記施封装置１Ｂには、上記区分集積装置１ＡのゲートＧ３により図中左方向に分岐された搬送路によって紙幣Ｐが供給される。上記区分集積装置１Ａから供給された紙幣Ｐは、施封装置１Ｂ内においてゲートＧ４により搬送方向が２方向に選択的に切換えられる。ゲートＧ４によって分岐搬送される紙幣Ｐは、施封装置１Ｂ内の集積庫５１あるいは集積庫５２に選択的に集積される。
【００４０】
上記ゲートＧ４を介していずれかの集積庫５１あるいは５２に集積された紙幣Ｐは、供給部５３によって施封機構５４へ送り込まれる。上記施封機構５４では、上記帯供給部５６から供給された紙帯によって上記供給部５３により供給された所定枚数の紙幣Ｐを施封する。所定枚数毎に施封された紙幣Ｐの束は、図示しないコンベアを介して装置外へ搬出される。
【００４１】
なお、上記区分集積装置１Ａでは、後述する設定に基づいて特定の券種を施封装置１Ｂへ供給するようになっている。したがって、上記施封装置１Ｂでは、上記区分集積装置１Ａが供給される特定の券種の紙幣を施封するようになっている。また、施封装置１Ｂにて施封すべき券種以外の券種の紙幣Ｐは、上記区分集積装置１Ａ内の集積庫４１〜４６のいずれかに集積される。
【００４２】
次に、紙葉類処理システムの制御系について説明する。  
図２は、上記紙幣処理システムの制御系のブロック図を示す。  
上記紙幣処理装置本体１の区分集積装置１Ａの制御系は、図２に示すように、例えば制御部６０、記憶部６１、取出し制御部６２、搬送制御部６３、ゲート制御部６４、判定部６５、カード検知器９０、排除検知器９７、及びバーコードリーダ９８などにより構成されている。
【００４３】
上記制御部６０は、予め設定した動作プログラムに従って区分集積装置１Ａの全体動作を制御する。上記記憶部６１には、上記制御部６０により実行される動作プログラムが記憶される。また、上記記憶部６１は、データの記憶用に用いられる。たとえば、上記記憶部６１には、各集積庫４１〜４６、および、施封装置１Ｂの集積庫５１、５２に集積される集積枚数を計数する計数テーブルが設けられている。さらに、上記記憶部６１は、区分集積装置１Ａの動作プログラムの実行に使用される設定情報例えば取出し制御部における取出しトルクの設定値、判定部にて各検知器の検知結果の判定に使用される基準値、搬送制御部における搬送センサレベル、適正な搬送方向に対する紙葉類の角度のずれの許容限度となる整位角、ゲート制御部における集積庫の選択及び集積される券種の設定等の情報が各々複数種ずつ記憶される。
【００４４】
カード検知器９０は、設定カードの絵柄パターンを検知する。制御部６０は、この検知結果を受けて設定モードに切り替わり、また、この検知結果に応じて、さらに制御部７０，及び制御部８０を設定モードに切り替えることができる。
【００４５】
上記取出し制御部６２は、制御部６０の制御に基づいて取出しローラ１０の駆動を行うものである。上記搬送制御部６３は、制御部６０の制御に基づいて搬送ローラ１５の駆動を行うものである。
【００４６】
上記判定部６５は、検知部３０の検知結果に基づいて、紙葉類例えば紙幣Ｐの状態を判定し得る。上記判定部６５では、各センサにより読み取った情報と基準となる情報とを比較することにより紙幣Ｐの特徴を判定する。また、上記判定部６５は、検知部３０の検知結果に基づく判定結果を制御部６０に出力するものである。
【００４７】
たとえば、上記判定部６５は、当該紙幣Ｐの券種を判定するとともに、当該紙幣Ｐの表裏および天地を判定する。さらに、上記判定部６５は、当該紙幣Ｐが正券か損券かを判定する。正券とは、再流通が可能な券であり、損券とは、再流通が不可な券である。つまり、正券か損券かは、紙幣の状態（質）の良し悪しにより判定されるものである。上記判定部６５では、紙幣の汚れ、破れ、折れ、紙質、テープ貼り等の度合いによって正券か損券かを判定する。
【００４８】
また、上記判定部６５は、設定カード及び偽券等を検知し、その検知結果を制御部６０に送ることができる。
【００４９】
上記ゲート制御部６４は、制御部６０の制御に基づいてゲートＧ１〜Ｇ３、Ｇ５〜Ｇ９の駆動を行うものである。例えば、ゲートＧ１を駆動することにより、設定カード及び偽券等の検知結果をリジェクト箱３２に排除することができる。
【００５０】
排除検知器９７は、リジェクト箱３２に紙葉類が排除されたことを検知し得る。例えば設定カードが排除されたことを検知し、検知結果を制御部６０に送ると、制御部６０はこの検知結果を受けて、設定モード通常の処理モードに切り換えられる。
【００５１】
また、バーコードリーダ９８は、例えば設定カードに設けられたバーコードを読み取り、その結果を制御部６０へ送る。制御部６０はこの検知結果に従って、記憶部６１、記憶部７１，及び記憶部８１に保管されているプログラムとデータ値を抽出し、これを切り替えることにより、設定変更を行うことができる。
【００５２】
上記紙幣処理装置本体１の施封装置１Ｂの制御系は、図２に示すように、制御部７０、記憶部７１、搬送制御部７２、ゲート制御部７３、移動機構７４、施封機構５４、印刷機構５５などにより構成されている。  
上記制御部７０は、予め設定した動作プログラムに従って施封装置１Ｂの全体動作を制御する。上記記憶部７１には、上記制御部７０により実行される動作プログラムが記憶される。また、上記記憶部７１には、施封装置１Ｂの動作プログラムを実行するための設定情報例えば施封装置の台数、施封に用いられる紙帯の印刷パターン等の情報が各々複数種ずつ記憶される。上記搬送制御部７２は、上記制御部７０の制御に基づいて搬送ローラを駆動するものである。上記ゲート制御部７３は、上記制御部６０の制御に基づいてゲートＧ４の駆動を行うものである。上記移動機構７４は、上記制御部７０の制御に基づいて上記集積庫５１あるいは５２に集積された所定枚数の紙葉類を移動（搬送）するものである。
【００５３】
上記制御装置２の制御系は、図２に示すように、制御部８０、記憶部８１、表示部８２、操作部８３などにより構成されている。  
上記制御部８０は、予め設定した動作プログラムに従って制御装置２全体の制御を司るものである。たとえば、上記制御部８０は、係員からの操作指示に基づいて上記区分集積装置１Ａに対する各種の動作設定などを行う機能を有する。上記記憶部８１は、上記制御部８０により実行される動作プログラムが記憶される。また、上記記憶部８１には、区分集積装置１Ａの各集積庫４１〜４６、および、施封装置１Ｂの集積庫５１、５２に対する設定情報などが後述するプリセット（設定名）に対応して記憶される。また、上記記憶部８１には、制御装置２の動作プログラムを実行するための設定情報例えば使用する国、あるいは操作画面言語等の情報が各々複数種ずつ記憶される。
【００５４】
上記表示部８２は、制御部８０の表示制御に基づいて係員に対する操作案内などを表示するものである。上記操作部８３は、係員が操作指示を入力するものである。上記表示部８２は、ディスプレイ装置などにより構成される。上記操作部８３は、キーボードあるいはマウスなどの入力装置などにより構成される。上記表示部８２と上記操作部８３とは、たとえば、タッチパネル内蔵のディスプレイ装置により構成されるようにしても良い。さらに、上記表示部８２と上記操作部８３とは、タッチパネル内蔵のディスプレイ装置とキーボード等の入力装置とを設けた構成としても良い。
【００５５】
次に、上記制御装置２による紙葉類処理装置本体１の各集積庫（カセット）４１〜４６、５１、５２の設定について説明する。  
ここでは、上記表示部８２と上記操作部８３とは、タッチパネル内蔵のディスプレイ装置により構成されているものとする。また、各集積庫４１〜４６、５１、５２の設定は、管理者（スーパーバイザ）により行われるものとする。
【００５６】
次に、制御部６０に接続された検知器３０及び判定部６５の制御系統の概略構成について説明する。  
図３は、検知部３０の概略構成を表す図である。  
図３に示すように、検知部３０において、紙幣は搬送ローラ９１〜９８により搬送路１６上の間隙を図の導入側から排出側へ搬送されるようになっている。搬送路１６上には、図の右側から順に、透過画像検知部１０１、上面反射画像検知部１０２、下面反射画像検知部１０３、磁気検知部１０４、蛍光検知部１０５、厚さ検知部１０６が設置されている。
【００５７】
透過画像検知部１０１は、紙葉類Ｓの透過画像情報を検知するものである。上面画像検知部１０２は、紙葉類Ｓの上面の反射画像情報を検知するものである。下面画像検知部１０３は、紙葉類Ｓの下面の反射画像情報を検知するものである。磁気検知部１０４は、紙葉類Ｓの磁気印刷特性を検知するものである。蛍光検知部１０５は、紙葉類Ｓからの蛍光発光特徴量を検知するものである。厚さ検知部１０６は、紙葉類Ｓの厚さを検知するものである。
【００５８】
搬送ローラ対９１、９２と搬送ローラ対９３、９４の間に、透過画像検知部１０１が設けられている。搬送ローラ対９３、９４と搬送ローラ対９５、９６の間に、上面反射画像検知部１０２が設けられている。搬送ローラ対９５、９６と搬送ローラ９７の間に、下面反射画像検知部１０３が設けられている。搬送ローラ９７の搬送路１６を挟んだ対向位置に磁気検知部１０４が設けられている。搬送ローラ９７、９８の間に、蛍光検知部１０５が設けられている。搬送ローラ（固定ローラ）９８の搬送路１６を挟んだ対向位置に厚さ検知部１０６が設けられている。
【００５９】
また、上記検知部３０内の上方部には、上記透過画像検知部１０１、上面画像検知部１０２、下面画像検知部１０３、磁気検知部１０４、蛍光検知部１０５、厚さ検知部１０６と接続され、上記各検知部からの検知信号に基づいて紙幣の種類、方向（表向きあるいは裏向き）、良否、汚損度等を判別する判定部６５が設置されている。
【００６０】
図４は、検知部３０の構成を概略的に表すブロック図を示す。
【００６１】
図４に示すように、検知部３０では、判別部６５に、透過画像検知部１０１、上面画像検知部１０２、下面画像検知部１０３、磁気検知部１０４、蛍光検知部１０５、厚さ検知部１０６が接続されている。
【００６２】
透過画像検知部１０１、上面画像検知部１０２、下面画像検知部１０３は、例えばＬＥＤアレイを発光部とし、フォトダイオードアレイまたはＣＣＤ（Ｃｈａｒｇｅ  Ｃｏｕｐｌｅｄ  Ｄｅｖｉｃｅ）を受光部とした１次元画像読み取りセンサで、ＬＥＤには用途により可視光や近赤外光が使用される。また、上面画像検知部１０２及び下面画像検知部１０３には、イメージセンサの読取り位置の一端に白基準値を決定するための白基準部（図示しない）が設けられており、この白基準部の読取り画像に基づいてシェーディング補正部１００ａにより読取り画像の補正を行うようになっている。なお、以下の説明では、上記透過画像検知部１０１、上面画像検知部１０２及び下面画像検知部１０３を画像検知部１００として説明する。
【００６３】
上記磁気検知部１０４は、搬送される紙幣から磁性をインキで印刷された文字や絵柄部分を検出する。磁気検知部１０４は例えば磁気ヘッドのようなセンサで構成され、コア材の一次側に直流バイアス電流を印加し、磁性材料がヘッド部を通過したときのフラックス（磁束）の変化を二次側コイルで検出するようになっている。
【００６４】
上記蛍光検知部１０５は、搬送される紙幣から蛍光発光するインキで印刷された図柄を検知するものである。蛍光検知部１０５は、発光部を紫外線発光ランプとし、紙幣から発せられる光をフォトダイオードの受光部でスポット視野にて検出するようになっている。
【００６５】
上記厚さ検知部１０６は、搬送される紙幣の厚さを検知するものであり、搬送される紙幣の厚さを電圧値として出力する。厚さ検知部１０６は、紙幣を２本のローラで挟み、片側のローラまたはそれを支持するシャフトの変動量を変位センサ等で電気信号に変換するようになっている。
【００６６】
上記判定部６５は、上記各検知部１０１〜１０６で検知された特徴量に基づいて紙幣の券種、正損、真偽等の判別を行う。また、制御部６０は、判定部６５にて、各検知部１０１〜１０６にて得られた特徴量を判断するための判定基準値例えば透過画像検知部から画像データ、上面反射画像検知部、下面反射画像検知部における反射量データ、磁気検知部における電圧レベル、厚さ検知部の電圧レベル等、及び紙幣の券種、正損、真偽等の判別を行うための判定基準レベル例えば正損の判定に用いる透過画像データのレベル、券種データ等を記憶している記憶部６１を有している。
【００６７】
図５に、本発明に使用される設定カードの一例として初期設定カードの表側の構成を表す正面図、及び図６にその裏側の構成をあらわす正面図を各々示す。
【００６８】
図示するように、初期設定カード１１０は、カード基材１１３の表側の表面上に、カードの種類を示す情報を記録した絵柄パターン１１１が、裏側の表面上に、装置の初期設定情報が記録されたバーコードが記録されている。
【００６９】
図７に、図６のバーコードに記録された初期設定情報の一例を示す。
【００７０】
図示するように、この初期設定カードには、この装置を適用する国、施封数、取出しトルク、整位角、搬送センサレベル、紙帯パターン、操作画面言語、及び収納庫設定等の設定を選択するための情報パターンがバーコード印刷されている。
【００７１】
また、図８に本発明に使用される設定カードの他の一例として調整用カードの表側の構成を表す正面図、及び図９にその裏側の構成をあらわす正面図を各々示す。
【００７２】
図示するように、この調整用カード１２０は、カード基材１２３の表側の表面上に、カードの種類を示す情報を記録した絵柄パターン１２１及び例えば検知器として使用され得る反射検知器の反射検知基準色１２６等が、裏側の表面上に、装置の調整レベル情報が記録されたバーコード、反射検知基準色１２６、磁気センサ基準パターン１２４、ピント合わせパターン１２５等が記録されている。
【００７３】
上記初期設定カード及び調整カードは、その絵柄パターンにより、バッチカード、クーポン券でなく初期設定または調整用カードとして認識され、誤判定を防止している。更にその絵柄パターンによって、初期設定変更モードに切り換えるか、または調整変更モードに切り換えるかを区別している。
【００７４】
図１０に、図９のバーコードに記録された調整情報の一例を示す。
【００７５】
図示するように、この調整カード１２０には、主に判定部６５にて、各検知部にて得られた特徴量を判断するための判定基準値を選択するための情報が記録されており、ここでは、この装置を適用する国、透過、濃淡、反射量、磁気量、厚み、正損、券種所に関する情報パターンがバーコード印刷されている。
【００７６】
次に、上記初期設定カード及び調整カードを用いた、紙幣処理装置の内部設定方法について説明する。
【００７７】
図１１に、図５及び図６に示すカードを用いた本発明に係る紙葉類処理装置の内部設定方法の一例を表すフロー図を示す。
【００７８】
初期設定カード１１０の取り出しを行うと、カード検知器９０にて、絵柄パターン１１１を検知し（Ｓ１）、その検知結果が制御部６０に送られる。制御部６０は、この検知結果を受けて、制御部７０及び制御部８０と共に、初期設定変更モードに切り換えられる（Ｓ２）。
【００７９】
さらに、バーコードリーダ９８により、バーコード１１２を検知し、その検知結果を制御部６０へ送る（Ｓ４）。記憶部６０を介して送られた検知結果に基づいて、記憶部６１、記憶部７１，及び記憶部８１に保管されているプログラムとデータ値例えば取出し制御部における取出しトルクの設定値、判定部にて各検知器の検知結果の判定に使用される基準値、搬送制御部における搬送センサレベル、適正な搬送方向に対する紙葉類の角度のずれの許容限度となる整位角、ゲート制御部における集積庫の選択及び集積される券種の設定、施封装置の台数、施封に用いられる紙帯の印刷パターン、使用する国、及び操作画面言語等を抽出し（Ｓ５）、これを図７に示すような設定値に切り替えることにより、内部設定変更を行うことができる（Ｓ６）。その後、排除検知器９７にて、初期設定カード１１０の排除を検知すると、その検知結果を受けて、制御部６０，７０，８０が初期設定変更モードから通常の処理モードに切り換えられる。
【００８０】
また、図１２に、図８及び図９に示すカードを用いた本発明に係る紙葉類処理装置の内部設定方法の他の一例を表すフロー図を示す。
【００８１】
調整カード１２０の取り出しを行うと、カード検知器９０にて、絵柄パターン１２１を検知し（Ｓ８）、その検知結果が制御部６０に送られる。制御部６０は、この検知結果を受けて、判定部調整モードに切り換えられる（Ｓ９）。
【００８２】
さらに、検知部３０にて、磁気センサ基準パターン１２４，ピント合わせパターン１２５，反射検知基準色１２６、及び調整カードの厚さ等を検知し（Ｓ１０）、その検知結果を制御部６０へ送り、記憶部６１に一時保管する（Ｓ１１）。
【００８３】
さらに、バーコードリーダ９８により、バーコード１２２を検知し、その検知結果を制御部６０へ送る（Ｓ１２）。記憶部６０を介して送られた検知結果に基づいて、記憶部６１に保管されている検知プログラムとデータ値を抽出し、これをたとえば図１０に示すような判定基準レベルに切り替えることにより、内部設定変更を行うことができる（Ｓ１３）。その後、排除検知器９７にて、調整カード１２０の排除を検知すると、その検知結果を受けて、制御部６０が判定部調整モードから通常の処理モードに切り換えられる。
【００８４】
以上説明したように、本発明の内部設定方法を用いると、装置状態の設定や検知結果判定レベルの変更を操作画面から変更する必要がなく、設定カード表面に印刷された絵柄パターンとバーコードの組み合わせで機器内部設定や検知部のレベル調整の認証や変更を可能とし、セキュリティ性の向上、操作による人為的ミス、設定及び調整工数の削減を実現することができる。
【００８５】
例えば設定カードの絵柄パターンにより初期設定及び調整内容を区分し、検知部の調整などの設定方式の切り替えを可能とし、設定カード上に検知器における基準値を表現する色、磁気パターン、及びバーコードを印刷して、このカードを紙葉類処理と同様にして装置内に流し、検知用基準データの入力とレベルの調整を可能とする事で、客先での調整を容易に実現し得る。
【００８６】
また、例えば設定カード上に印刷されたバーコードの桁と値に対して装置の状態設定項目と設定値、及び各検知器とその判定レベルを表現し、このカードを紙葉類処理と同様にして装置内に流し、自動的な設定が可能となる。また、カードの厚みと表面に印刷された色、磁気パターンによりカードを搬送させる事によりセンサの基準レベルを登録可能にし、バーコードによりその基準データに対する判定レベルの切り替えが可能となる。
【００８７】
さらに、例えばカード上に表現されたバーコードにより国などの仕様別に制御、判定プログラムを切り替え可能にする。
【図面の簡単な説明】
【００８８】
【図１】本発明の内部設定方法を適用し得る紙葉類処理装置の一例の構成を概略的に表す図
【図２】図１の装置の制御系のブロック図
【図３】検知部の概略構成を表す図
【図４】検知部の概略構成を表すブロック図
【図５】本発明に使用される設定カードの一例の表側の構成を表す正面図
【図６】図５の裏側の構成をあらわす正面図
【図７】図６のバーコードに記録された初期設定情報の一例
【図８】本発明に使用される設定カードの他の一例表側の構成を表す正面図
【図９】図８の裏側の構成をあらわす正面図
【図１０】図９のバーコードに記録された調整情報の一例
【図１１】本発明に係る紙葉類処理装置の内部設定方法の一例を表すフロー図
【図１２】本発明に係る紙葉類処理装置の内部設定方法の他の一例を表すフロー図
【符号の説明】
【００８９】
１…紙葉類処理装置、３０…検知部、６０，７０，８０…制御部、６１，７１，８１…記憶部、６２…取出し制御部、６３…搬送制御部、６５…判定部、６４…ゲート制御部、９０…カード検知器、９７…排除検知部、１１０，１２０…設定カード、１１１，１２１…絵柄パターン、１１２，１２２…バーコード、１２４…磁気センサ基準パターン、１２５…ピント合わせパターン、１２６…反射検知基準色
【図１】
2007122453.tif 000003
【図２】
2007122453.tif 000004
【図３】
2007122453.tif 000005
【図４】
2007122453.tif 000006
【図５】
2007122453.tif 000007
【図６】
2007122453.tif 000008
【図７】
2007122453.tif 000009
【図８】
2007122453.tif 000010
【図９】
2007122453.tif 000011
【図１０】
2007122453.tif 000012
【図１１】
2007122453.tif 000013
【図１２】
2007122453.tif 000014